(57)【要約】【課題】  キャリッジの位置決め精度に影響を与えることなく無端ベルトと駆動プーリとの噛み合い部から発生する振動を効果的に吸収することのできるベルト固定装置を得る。【解決手段】  キャリッジ２５を駆動する無端ベルト２４をキャリッジ２５に固定するベルト固定装置は、無端ベルト２４の一部に湾曲部２４ａを形成するとともに湾曲部２４ａをキャリッジ２５に保持する保持手段を備えている。この保持手段は、湾曲部２４ａの外側に設けられ、湾曲部２４ａの外側曲面を形成する様に凹形状４３ａを有するガイド部４３と、湾曲部２４ａの内側に配置され、湾曲部２４ａの内側曲面を形成する様に凸形状を有するとともに無端ベルト２４のテンション方向と直交する方向に変位可能に設けられる変位部材４１と、変位部材４１を湾曲部２４ａに向けて押圧するダンパ部材４２とを備えている。【選択図】図７
2005219447.tif 000002
【特許請求の範囲】
【請求項１】
被記録媒体に記録を行う記録ヘッドを備えたキャリッジを主走査方向に牽引する無端ベルトの一部に湾曲部を形成するとともに、当該湾曲部を前記キャリッジに保持する保持手段を備え、
前記保持手段が、前記湾曲部の外側に設けられ、前記湾曲部の外側曲面を形成する凹部を備えたガイド部と、
前記湾曲部の内側に配置され、前記湾曲部の内側曲面を形成する凸部を備えるとともに前記無端ベルトのテンション方向と交差する方向に変位可能に設けられる変位部材と、
前記変位部材を前記湾曲部に向けて押圧するダンパ部材と、を備えて構成されている、
ことを特徴とするベルト固定装置。
【請求項２】
請求項１において、前記変位部材が、前記無端ベルトのテンション方向と直交する方向に変位する様に設けられている、
ことを特徴とするベルト固定装置。
【請求項３】
請求項１または２において、前記無端ベルトが歯付きベルトであるとともに、前記変位部材において前記凸部に前記無端ベルトの歯と噛合する歯部が形成されている、
ことを特徴とするベルト固定装置。
【請求項４】
請求項１から３のいずれか１項において、前記変位部材に、前記ダンパ部材を保持する爪部が形成されている、
ことを特徴とするベルト固定装置。
【請求項５】
被記録媒体に記録を行う記録ヘッドを備え、主走査方向に往復駆動されるキャリッジと、
前記キャリッジを主走査方向に牽引する無端ベルトと、
前記無端ベルトを前記キャリッジに固定する、請求項１から４のいずれか１項に記載された前記ベルト固定装置と、
を備えていることを特徴とする記録装置。
【請求項６】
被噴射媒体に液体噴射を行う液体噴射ヘッドを備えたキャリッジと、
前記キャリッジを主走査方向に牽引する無端ベルトと、
前記無端ベルトを前記キャリッジに固定するベルト固定装置と、を備え、
前記ベルト固定装置は、前記無端ベルトの一部に湾曲部を形成するとともに、当該湾曲部を前記キャリッジに保持する保持手段を前記キャリッジに備え、
前記保持手段が、前記湾曲部の外側に設けられ、前記湾曲部の外側曲面を形成する凹部を備えたガイド部と、
前記湾曲部の内側に配置され、前記湾曲部の内側曲面を形成する凸部を備えるとともに前記無端ベルトのテンション方向と交差する方向に変位可能に設けられる変位部材と、
前記変位部材を前記湾曲部に向けて押圧するダンパ部材と、を備えて構成されている、
ことを特徴とする液体噴射装置。
【発明の詳細な説明】
【技術分野】
【０００１】
本発明は、被記録媒体に記録を行う記録ヘッドを備えたキャリッジを主走査方向に牽引する無端ベルトを、前記キャリッジに固定するベルト固定装置及びこれを備えた記録装置に関する。また、本発明は液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
Ｆａｘ、プリンタ等に代表される記録装置或いは液体噴射装置においては、被記録媒体としての用紙に記録を行う記録ヘッドをキャリッジに備えている。このキャリッジは主走査方向に延びるガイド手段にガイドされながら主走査方向に往復動可能に設けられるとともに、駆動プーリと従動プーリとに係回される無端ベルトの一部に固定され、当該無端ベルトに牽引されることで主走査方向に往復動する様に構成されている。
【０００３】
この様な構成においては、無端ベルト（歯付きベルト）と駆動プーリとの噛み合い時に生じる振動がキャリッジに伝播することにより、例えばインクジェット記録装置の場合では前記振動によってインクの着弾精度が低下し、印刷ムラ等を招く場合がある。そこでこの様な問題を解決する為に、下記特許文献１には、キャリッジに伝達される振動を減衰するダンパ手段を備えた記録装置が開示されている。
【０００４】
【特許文献１】特開２００３−８０７８６号公報
【発明の開示】
【発明が解決しようとする課題】
【０００５】
しかし、上述した特許文献１記載のダンパ手段は、キャリッジの移動方向と平行でない方向、より具体的にはキャリッジの移動方向に直角な方向で減衰効果が大きくなる様に構成されているものの、キャリッジの牽引方向即ちキャリッジの移動方向にも減衰効果が発生する様な構成となっている。従ってこれによりキャリッジ駆動時の応答性能や位置決め精度の低下を招き、印刷品質が低下する虞がある。また、部品形状が複雑であり、低コスト化を図ることが困難であるといった問題もあった。  
そこで本発明は上記問題に鑑みなされたものであり、その課題は、キャリッジの応答性能や位置決め精度に影響を与えることなく、無端ベルトと駆動プーリ或いは従動プーリとの噛み合い部から発生する振動を効果的に吸収することのできるベルト固定装置を得ることにある。
【課題を解決するための手段】
【０００６】
上記課題を解決する為に、本発明の第１の態様に係るベルト固定装置は、被記録媒体に記録を行う記録ヘッドを備えたキャリッジを主走査方向に牽引する無端ベルトの一部に湾曲部を形成するとともに、当該湾曲部を前記キャリッジに保持する保持手段を備え、前記保持手段が、前記湾曲部の外側に設けられ、前記湾曲部の外側曲面を形成する凹部を備えたガイド部と、前記湾曲部の内側に配置され、前記湾曲部の内側曲面を形成する凸部を備えるとともに前記無端ベルトのテンション方向と交差する方向に変位可能に設けられる変位部材と、前記変位部材を前記湾曲部に向けて押圧するダンパ部材と、を備えて構成されていることを特徴とする。
【０００７】
上記態様によれば、前記無端ベルトの一部に湾曲部を形成するとともに当該湾曲部をキャリッジに保持する保持手段は、当該湾曲部の内側に配置され、前記湾曲部の内側曲面を形成する凸部を備えるとともに前記無端ベルトのテンション方向と交差する方向に変位可能な変位部材と、当該変位部材を前記湾曲部に向けて押圧するダンパ部材と、を備えていることから、前記無端ベルトに伝播した振動は前記ダンパ部材によって吸収される。
【０００８】
ここで、前記無端ベルトにはテンションが掛かっていることから、前記湾曲部には元の真っ直ぐな状態に戻ろうとする習性が付与された状態となっている。従って前記湾曲部は、内側の構成要素、即ち上記変位部材に強く接する状態となり、これによって前記無端ベルトに伝播した振動の殆どは上記変位部材に伝わることになる。そして、この様にベルトテンションによって前記無端ベルトと強く接することとなる前記湾曲部の内側構成要素を変位可能に設け、上記ダンパ部材によって振動を吸収する様に構成したことから、効率的に振動を吸収することができる。
【０００９】
そして更に、前記湾曲部の内側に設けられた変位部材は、前記無端ベルトのテンション方向と交差する方向、即ち振動が発生する方向に変位可能となっているので、振動を確実に吸収することができるとともに、前記無端ベルトのテンション方向即ちキャリッジの移動方向には前記ダンパ部材によるダンパ効果が殆ど作用しないので、これによって前記キャリッジの応答性能及び位置決め精度を低下させることなく、良好な記録結果を得ることができる。
【００１０】
本発明の第２の態様に係るベルト固定装置は、上記第１の態様において、前記変位部材が前記無端ベルトのテンション方向と直交する方向に変位する様に設けられていることを特徴とする。  
上記態様によれば、前記変位部材が前記無端ベルトのテンション方向と直交する方向、即ち振動発生方向に変位する様に前記変位部材が設けられていることから、振動を効果的に吸収できるとともに、前記変位部材は前記無端ベルトのテンション方向即ちキャリッジの移動方向には変位しないので、前記キャリッジの応答性能及び位置決め精度の低下をより一層確実に防止でき、より一層良好な記録結果を得ることができる。
【００１１】
本発明の第３の態様に係るベルト固定装置は、上記第１のまたは第２の態様において、前記無端ベルトが歯付きベルトであるとともに、前記変位部材において前記凸部に前記無端ベルトの歯と噛合する歯部が形成されていることを特徴とする。  
上記態様によれば、前記無端ベルトが歯付きベルトであるとともに、前記変位部材において前記凸部（即ち前記無端ベルトと接する面）に前記無端ベルトの歯と噛合する歯部が形成されていることから、前記無端ベルトと前記変位部材との間でスリップが発生さず、前記キャリッジの応答性能及び位置決め精度の低下を確実に防止できる。
【００１２】
本発明の第４の態様に係るベルト固定装置は、上記第１から第３の態様において、前記変位部材に、前記ダンパ部材を保持する爪部が形成されていることを特徴とする。  
上記態様によれば、前記変位部材に、前記ダンパ部材を保持する爪部が形成されているので、前記変位部材によって前記ダンパが保持され、組み立て時の作業性が向上する。
【００１３】
本発明の第５の態様に係る記録装置は、被記録媒体に記録を行う記録ヘッドを備え、主走査方向に往復駆動されるキャリッジと、前記キャリッジを主走査方向に牽引する無端ベルトと、前記無端ベルトを前記キャリッジに固定する、上記第１から第４の態様のいずれかに記載された前記ベルト固定装置とを備えていることを特徴とする。  
上記態様によれば、被記録媒体に記録を行う記録装置において、上述した第１から第４の態様のいずれかと同様な作用効果を得ることができる。
【００１４】
本発明の第６の態様に係る液体噴射装置は、被噴射媒体に液体噴射を行う液体噴射ヘッドを備えたキャリッジと、前記キャリッジを主走査方向に牽引する無端ベルトと、前記無端ベルトを前記キャリッジに固定するベルト固定装置と、を備え、前記ベルト固定装置は、前記無端ベルトの一部に湾曲部を形成するとともに、当該湾曲部を前記キャリッジに保持する保持手段を前記キャリッジに備え、前記保持手段が、前記湾曲部の外側に設けられ、前記湾曲部の外側曲面を形成する凹部を備えたガイド部と、前記湾曲部の内側に配置され、前記湾曲部の内側曲面を形成する凸部を備えるとともに前記無端ベルトのテンション方向と交差する方向に変位可能に設けられる変位部材と、前記変位部材を前記湾曲部に向けて押圧するダンパ部材と、を備えて構成されていることを特徴とする。
【発明を実施するための最良の形態】
【００１５】
以下、図１乃至図８を参照しながら本発明の一実施形態について説明する。ここで、図１は本発明に係る「記録装置」「液体噴射装置」の一例としてのインクジェットプリンタ（以下「プリンタ」と言う）１の外観斜視図、図２はプリンタ１の側断面概略図、図３はプリンタ１の装置本体の斜視図、図４（Ａ）はプラテン２８の斜視図、図４（Ｂ）は（Ａ）の部分拡大図、図５（Ａ）はキャリッジ２５をキャリッジガイド板２７に押圧する押圧部材３２の斜視図、図５（Ｂ）は押圧部材３２による押圧状態を示す斜視図、図６はベルト固定装置４５の斜視図、図７はベルト固定装置４５の平面図、図８はベルト固定装置４５の分解斜視図である。  
尚、以下では、用紙搬送（給送）経路の上流側（図２の右側）を単に「上流側」と言い、用紙搬送（給送）経路の下流側（図２の左側）を単に「下流側」と言うこととする。
【００１６】
先ず、図１乃至図５を参照しながらプリンタ１の構成について概説する。プリンタ１は、「被記録媒体」「被噴射媒体」の一例としての、比較的サイズの小さいハガキ、Ｌ判サイズ等の記録用紙（以下「記録用紙Ｐ」と言う）への記録に適した小型サイズに構成されたものである。  
図１において、プリンタ１はハウジング３によって外観が構成され、Ａ４サイズの記録に好適であるインクジェットプリンタと同様に、装置後部に記録用紙Ｐを傾斜姿勢で複数枚セット可能な給送装置２を備え、装置前部には記録の行われた記録用紙Ｐをスタックするスタッカ６を備えている。
【００１７】
プリンタ１の装置上面中央には図１に示す様に電源ボタン、印刷設定ボタン等によって構成された操作部５と、印刷設定内容や現在の動作ステータス等を表示する表示部４が配置され、装置前方右上には、画像データ等が記憶された半導体メモリ媒体を装着可能なカードスロット（図示せず）を覆う開閉自在なカバー３ａが設けられている。即ち、プリンタ１は、外部のホスト・コンピュータと接続して印刷データを受信するのみならず、画像データを記憶した半導体メモリから直接画像データを読み込み、そして印刷用のデータを生成して自ら印刷実行可能に構成されている。
【００１８】
次に、プリンタ１の内部構成について説明する。図２において、給送装置２は、ホッパ１０と、可動ガイド９と、給送ローラ１１と、アイドルローラ１４と、摩擦分離材１３と、戻しレバー１２と、更に例示したこれら以外の種々の構成要素を備えている。ホッパ１０は記録用紙Ｐを傾斜姿勢に支持するとともに、揺動支点１０ａを中心にカム機構（図示せず）によって揺動駆動され、給送ローラ１１に記録用紙Ｐを圧接させる姿勢と、離間させる姿勢とを切換可能となっている。ホッパ１０に設けられた可動ガイド９は、記録用紙Ｐの各サイズに対応する様に、記録用紙Ｐの幅方向にスライド可能に設けられ、記録用紙Ｐの側端をガイドする。
【００１９】
給送ローラ１１は側面視略Ｄ形の形状を成し、給送ローラ軸１１ａと一体的に形成されたローラ本体部１１ｂ（鍔部を備えたドラム形状を成している）に、ゴム材１１ｃが巻回されることによって構成されている。尚、ローラ本体部１１ｂとゴム材１１ｃの関係が、円弧部においてはゴム材１１ｃが記録用紙Ｐと接触し、平坦部においてはローラ本体部１１ｂが記録用紙Ｐと接触する様に成されている。そして、当該給送ローラ１１（給送ローラ軸１１ａ）は、図示しない駆動モータ及びクラッチ機構によって用紙給送時にのみ選択的に回転駆動される。用紙給送時には、給送ローラ１１はその円弧部分によって給送ローラ１１に圧接した記録用紙Ｐの最上位のものを下流側へ給送し、用紙給送が終了すると、下流側の搬送駆動ローラ２１による用紙搬送動作の際に搬送負荷を生じさせない様、図２に示す様に側面視略Ｄ形の形状における平坦部が摩擦分離材１３と対向する様に駆動制御される。
【００２０】
ここで、下流側の搬送駆動ローラ２１による用紙搬送中に、給送ローラ１１に接触すると搬送負荷が生じる他、記録面に搬送方向に延びる様な接触痕が形成されてしまう虞がある。従ってこれを防止する為に、本実施形態では符号１４で示す自由回転可能なアイドルローラを設け、これによって用紙搬送中における給送ローラ１１への接触を防止して、搬送負荷や接触痕の発生を防止している。また、アイドルローラ１４は用紙幅方向においてほぼ均等に配置されていることから、これによって用紙幅方向における姿勢を均一化することができ、用紙搬送中（印刷中）におけるスキュー等の発生を防止することが可能となっている。
【００２１】
続いて、給送ローラ１１と対向する位置には、分離手段としての摩擦分離材１３が設けられている。摩擦分離材１３は用紙給送時に給送ローラ１１の円弧部分と圧接して圧接点を形成し、これにより、給送されるべき最上位の記録用紙Ｐと、重送されようとする次位以降の記録用紙Ｐとを分離する。
【００２２】
更に、給送ローラ１１と対向する位置には戻しレバー１２が設けられている。戻しレバー１２は、その回動範囲が給送ローラ１１と摩擦分離材１３との圧接点とオーバーラップする様に、回動軸１２ａを中心に回動可能に設けられ、そして後述するカム機構によって駆動制御される。この戻しレバー１２は、給送ローラ１１の１回転動作中に、図２に示す待機状態から用紙給送経路から退避する様に一旦倒れ、そして再び図２に示す様に起き上がることにより、重送されようとした次位以降の記録用紙Ｐを上流側に戻す。
【００２３】
以上のように構成された給送装置２は、その基体となるフレーム４０に上述したホッパ１０、戻しレバー１２等の各構成要素が組み付けられてユニットを形成するとともに、フレーム４０は給送ローラ軸１１ａを中心に用紙給送経路を側視して回動可能に設けられ、これにより、給送装置２（前記ユニット）は符号２’及び仮想線で示す様な収納状態と、実線で示す様な使用状態とを切り換えることができる様になっている。従って、収納状態においては、装置のコンパクト化を図ることができるとともに、用紙をセットする開口が塞がれるので塵埃等の侵入が防止される。
【００２４】
以上が給送装置２であり、給送装置２の下流側には、給送ローラ１１と搬送駆動ローラ２１との間に、レバー１５と検出部１６とを備えて成る紙検出器１７が設けられている。レバー１５は揺動軸１５ａを中心に揺動可能に設けられ、且つ、揺動軸１５ａから上側部分が、給送される記録用紙Ｐと接触可能に構成されている。検出部１６は光学センサであり、レバー１５の揺動軸１５ａから下側部分が図示する様に検出部１６に入り込むことにより、発光部から受光部へ向かう光が遮断され、記録用紙Ｐの未通過状態が検出される。そして、レバー１５が、記録用紙Ｐの通過に伴って揺動すると、レバー１５の揺動軸１５ａから下側部分が検出部１６から外れ、これにより、記録用紙Ｐ先端の通過を検出することができる様になっている。また、記録用紙Ｐ後端が通過すると、再びレバー１５の下端部が検出部１６に入り込み、これにより、記録用紙Ｐ後端の通過を検出可能となる。
【００２５】
次に、紙検出器１７の下流側には、搬送駆動ローラ２１と搬送従動ローラ２２とが設けられている（以下当該ローラ対を適宜「搬送ローラ」と言う）。搬送駆動ローラ２１は図示しない駆動モータによって回転駆動され、搬送従動ローラ２２は、搬送駆動ローラ２１に圧接して従動回転する。搬送駆動ローラ２１は回転軸芯線方向に長い金属棒体の外周に塗装膜が付着されることによって成され、搬送従動ローラ２２は、搬送駆動ローラ２１の軸方向に、所定の間隔で複数個設けられる。そして、給送ローラ１１によって給送された記録用紙Ｐは搬送ローラにニップされ、記録ヘッド２６の下へと搬送される。
【００２６】
搬送従動ローラ２２を軸支する搬送従動ローラホルダ２０の下流側端部には、自由回転可能なガイドローラ２３が設けられている。ガイドローラ２３は、記録用紙Ｐのプラテン２８からの浮き上がりを防止する為のローラであり、これにより、記録用紙Ｐと記録ヘッド１４との距離が一定に保たれ、記録品質の低下やヘッド擦れを防止する。
【００２７】
次に、搬送ローラの下流側には、記録ヘッド２６とプラテン２８とが対向する様に設けられている。記録ヘッド２６はキャリッジ２５の底部に設けられ、インク滴を記録用紙Ｐに向けて吐出することにより、記録（印刷）を実行する。尚、本実施形態では、キャリッジ２５はインクカートリッジを搭載せず、プリンタ１の装置本体底部に固設されるインクカートリッジ（図示せず）から、図示を省略するインクチューブを介して記録ヘッド２６へとインクが供給される様に構成されている。
【００２８】
次に、キャリッジ２５は主走査方向に延びるキャリッジガイド板２７によってガイドされながら主走査方向に往復動可能に設けられている。キャリッジガイド板２７は図２に示す様にＬ字形状を成し、図５（Ｂ）に示す様に下方に折り曲げられた折り曲げ部２７ａが、側面視略コの字形の形状を成す様に形成された摺動部２５ｆ、２５ｇに入り込む様になっていて、これにより、キャリッジ２５のキャリッジガイド板２７に対する副走査方向（図２の左右方向）の位置が規定される様になっている。
【００２９】
ここで、摺動部２５ｆ、２５ｇの内部で折り曲げ部２５ａがガタつかない様に、即ちキャリッジ２５とキャリッジガイド板２７との間のがたつきを除去する為に、押圧部材３２が設けられている。押圧部材３２は、略Ｔ字形の形状を成す様に弾性を有する板材によって形成されているとともに、両側に突出する弾性変形可能な弾性片３２ａ、３２ａに、樹脂材料によって形成されたスライダ３３、３３が取り付けられている。中央部には取付穴３２ｂ、３２ｂが形成されていて、当該取付穴３２ｂ、３２ｂに、キャリッジ２５の底面に形成された突起２５ａ、２５ａが嵌入することで押圧部材３２がキャリッジ２５に取り付けられる。そしてスライダ３３、３３は、図示する様に折り曲げ部２５ｂに弾接し、これによってキャリッジ２５とキャリッジガイド板２７とのガタつきが除去されて、安定してキャリッジ２５が主走査方向に案内される。
【００３０】
次に、図３に戻ってプリンタ１の基体を構成するフレームの左右側壁には、主走査方向に延びるリニアスケール３５が掛架されている。このリニアスケール３５には、主走査方向に透光部（図示せず）と遮光部（図示せず）とが交互に多数形成されていて、当該リニアスケール３５は、図６に示す様に当該リニアスケール３５に対して発光する発光部と前記透光部を通過した光を受光する受光部とを備えたセンサ３６に入り込み、前記透光部を通過する光によって形成される立ち上がり信号と立ち下がり信号とを出力し、これによってプリンタ１の制御部（図示せず）が、キャリッジ２５の主走査方向における絶対位置を検出する様になっている。
【００３１】
続いてキャリッジ２５は、その後部において、図３に示す様に無端ベルト２４の一部にベルト固定装置４５によって固定されている。無端ベルト２４は、図示を省略する駆動モータの回動軸に設けられた駆動プーリ３８と、従動プーリ３９とに係回されて、前記駆動モータの回動によってキャリッジ２５を主走査方向に牽引する。尚、ベルト固定装置４５の詳細な構成については後に説明する。
【００３２】
図２に戻って、プラテン２８は、記録用紙Ｐを下から支持することにより、記録用紙Ｐと記録ヘッド２５との間のギャップを規定するが、記録ヘッド２５と対向する面には、図４にも示す様に凹部２８ａが形成されている。これは、記録用紙Ｐに余白無く印刷を行う為のものであり、記録用紙Ｐの端部にインク滴を吐出する際に、記録用紙Ｐ端部から外れた部分にもインク滴を吐出し、そして凹部２８ａへと打ち捨てることにより、所謂縁無し印刷が実行される。
【００３３】
ここで、プラテン２８において記録ヘッド２６と対向する面には、副走査方向に延びるリブ２８ｂ、２８ｃ、２８ｄが、図４（Ａ）にも示す様に主走査方向に所定の間隔を置いて複数形成されているが、図４（Ｂ）に詳しく示す様にリブ２８ｂの両側には、溝２８ｅ、２８ｅが形成されている。これは、以下の様な理由による。即ち、縁無し印刷実行時にはインクを用紙端部から打ち捨てることによってインクミストが発生するが、このインクミストがプラテン２８に付着すると、表面張力の作用によってリブ２８ｂの両側に集まり、滞留することになる。すると、この状態において用紙が通過すると用紙裏面にインクが付着し、用紙を汚損するといった問題が生じる。その為、リブ２８ｂの両側に、凹部２８ａに向かって傾斜する様な底面を成す溝２８ｅを形成することで、リブ２８ｂの両側に集まるインクを凹部２８ａ（当該凹部２８ａに配設された図示しないインク吸収材）へと案内し、これによって用紙の汚損を防止する様になっている。また、溝２８ｅの底面を角にすることによって、インクのメニスカスを崩す様にもなっている。  
尚、拡大図示は省略するが、リブ２８ｄの両側にも、溝２８ｅ、２８ｅと同様な溝が形成されている。
【００３４】
続いて、凹部２８ａには、インク滴を吸収するインク吸収材（図示せず）が配設されている。そして凹部２８ａに打ち捨てられたインク滴は図示しない排出孔から下部へ排出され、そしてプラテン２８の下部には、この排出されたインク滴を受ける廃液トレイ３１が設けられている。廃液トレイ３１の内部には廃液吸収材３４が設けられ、廃液トレイ３１内のインク廃液を確実に保持する。
【００３５】
次に、記録ヘッド２６の下流側には、排出駆動ローラ２９と、排出従動ローラ３０とが設けられている（以下当該ローラ対を適宜「排出ローラ」と言う）。排出駆動ローラ２９は図示しない駆動モータによって回転駆動され、排出従動ローラ３０は、排出駆動ローラ２９に接して従動回転する。そして、記録が行われた記録用紙Ｐは、これらローラにニップされることにより、図示しないスタッカへ向けて排出される。尚、排出駆動ローラ２９の下流側には、排出補助ローラ３７が設けられている。排出補助ローラ３７は、排出駆動ローラ２９及び排出従動ローラ３０にニップされて排出される記録用紙Ｐの後端を、スタッカに向けて確実に落とす機能を果たすものである。
【００３６】
以上がプリンタ１の概略であり、以下、図６乃至図８を参照しながら無端ベルト２４をキャリッジ２５に固定するベルト固定装置４５について詳説する。図７に示す様に、ベルト固定装置４５は、無端ベルト２４の一部に湾曲部２４ａを形成するとともに、当該湾曲部２４ａをキャリッジ２５に保持する保持手段を備えている。
【００３７】
この保持手段は、湾曲部２４ａの外側に設けられ、湾曲部２４ａの外側曲面を形成する凹部４３ａを有するガイド部４３と、湾曲部２４ａの内側に配置され、湾曲部２４ａの内側曲面を形成する凸部を有するとともに無端ベルト２４のテンション方向（図７では左右方向）と交差する方向（本実施形態では直交する方向：図７の上下方向）に変位可能に設けられる変位部材４１と、当該変位部材４１を湾曲部２４ａに向けて押圧するダンパ部材４２とを備えて構成されている。
【００３８】
より詳しくは、ガイド部４３は、図６および図８にも示す様にキャリッジ２５の後部において突出する様に、キャリッジ２５と一体的に形成されている。キャリッジ２５において凹部４３ａと対向する側には図８に示す様に変位部材４１を嵌め入れる凹部２５ｃが形成されていて、変位部材４１は、凹部２５ｃの側壁２５ｄ、２５ｄに沿って、図７の上下方向即ち無端ベルト２４のテンション方向と直交する方向に変位可能に嵌め入れられる。
【００３９】
変位部材４１は湾曲部２４ａの内側曲面を形成する凸部において無端ベルト２４と接する面に歯部４１ｃを複数備え、当該歯部４１ｃが、歯付きベルトとしての無端ベルト２４に形成された歯と噛合する様になっている。また、変位部材４１にはその上下部分に、変位方向に突出する爪部４１ａ、４１ｂが形成されていて、当該爪部４１ａ、４１ｂによってダンパ部材４２が保持される様になっている。また同時に、変位部材４１が凹部２５ｃに嵌め入れられた際に、上部の爪部４１ａが図６に示す様にキャリッジ２５の後部上面（符号２５ｂで示す場所）に係止する様になっており、これによって、変位部材４１が脱落しない様に凹部２５ｃに嵌め入れられる。
【００４０】
次に、ダンパ部材４２は振動吸収性を有する弾性材料によって形成され、変位部材４１に保持された状態で凹部２５ｃ内に配設され、変位部材４１を湾曲部２４ａに向けて押圧することで、図７に示す様に無端ベルト２４の一部に湾曲部２４ａを形成するとともに、当該湾曲部２４ａをキャリッジ２５に保持する。  
ここで、本実施形態においては、ダンパ部材４２はＥＰＤＭ（エチレンプロピレンゴム）によって形成され、ＪＩＳ−Ａ硬度で３０°の硬度を有している。このダンパ部材４２は変位部材４１に伝達された振動を吸収可能なものであればどの様なものでも良いが、硬度が低い程、或いは、厚み寸法（図７の上下方向寸法）が大きい程、優れた振動吸収性を得ることができる。
【００４１】
以上の様な構成において、駆動プーリ３８或いは従動プーリ３９との噛み合いによって無端ベルト２４に発生する振動は、その殆どが変位部材４１に伝達される。これは、無端ベルト２４のテンションによって湾曲部２４ａは元の真っ直ぐな状態に復帰しようとする習性を有していることから、無端ベルト２４は、外側の凹部４３ａ（ガイド部４３）よりも内側の変位部材４１に強く圧接する為である。従ってこの様に強く圧接する側を、変位可能な変位部材４１によって構成するとともに、ダンパ部材４２によって振動を吸収する様に構成したので、より効率的に振動を吸収することができ、更に部品構造が単純化できるとともに部品点数も少なくなり、低コストに振動吸収手段を構成することができる。
【００４２】
そして、湾曲部２４ａの内側に設けられた変位部材４１は、無端ベルト２４のテンション方向と交差する方向に変位可能となっており、特に本実施形態では振動が発生する方向であるテンション方向と直交する方向に変位可能となっているので、上記振動を確実に吸収することができる。そして更に、これによって無端ベルト２４のテンション方向には図７から明らかな様にダンパ部材４２によるダンパ効果が殆ど作用しないので、キャリッジ２５の応答性能及び位置決め精度を低下させることなく、良好な記録結果を得ることができる。
【図面の簡単な説明】
【００４３】
【図１】本発明に係るプリンタの外観斜視図。
【図２】本発明に係るプリンタの側断面概略図。
【図３】本発明に係るプリンタの装置本体の斜視図。
【図４】（Ａ）はプラテンの斜視図、（Ｂ）は部分拡大図。
【図５】（Ａ）は押圧部材の斜視図、（Ｂ）は押圧状態を示す斜視図。
【図６】本発明に係るベルト固定装置の斜視図。
【図７】本発明に係るベルト固定装置の平面図。
【図８】本発明に係るベルト固定装置の分解斜視図。
【符号の説明】
【００４４】
１  インクジェットプリンタ、２  給紙装置、３  ハウジング、４  表示部、５  操作部、６  スタッカ、９  可動ガイド、１０  ホッパ、１１  給送ローラ、１２  紙戻しレバー、１３  摩擦分離材、１４  アイドルローラ、１５  レバー、１６  検出部、１７  紙検出器、１８  紙案内部材、２０  搬送従動ローラホルダ、２１  搬送駆動ローラ、２２  搬送従動ローラ、２３  ガイドローラ、２４  無端ベルト、２５  キャリッジ、２６  記録ヘッド、２７  キャリッジガイド板、２８  プラテン、２９  排出駆動ローラ、３０  排出従動ローラ、３１  廃液トレイ、３２  押圧部材、３３  スライダ、３４  廃液吸収材、３５  リニアスケール、３６  センサ、３７  排出補助ローラ、３８  駆動プーリ、３９  従動プーリ、４０  フレーム、４１  変位部材、４２  ダンパ部材、４３  ガイド部、４３ａ  凹部、４５  ベルト固定装置、Ｐ  記録用紙
【図１】
2005219447.tif 000003
【図２】
2005219447.tif 000004
【図３】
2005219447.tif 000005
【図４】
2005219447.tif 000006
【図５】
2005219447.tif 000007
【図６】
2005219447.tif 000008
【図７】
2005219447.tif 000009
【図８】
2005219447.tif 000010